(57)【要約】      （修正有）【課題】弾力性及び保形性（復元性）を維持しながら、肌触りが柔軟な、充填材にモノフィラメント繊維からなる構造体を用いた寝具を提供する。【解決手段】芯部分を鞘部分よりも高融点の樹脂で構成したモノフィラメント繊維を捲縮させることにより１００〜３０００デニールのスパイラル状に形成した連続線状体を、非溶着状態で接触、絡めさせてなる三次元ランダムスパイラル構造体１１からなる充填材と、この三次元ランダムスパイラル構造体を包み込む包装体１２とからなる。【選択図】図１
0003201740.tif 000002
【実用新案登録請求の範囲】
【請求項１】
芯部分を鞘部分よりも高融点の樹脂で構成したモノフィラメント繊維を捲縮させることにより１００〜３０００デニールのスパイラル状に形成した連続線状体を、非溶着状態で接触、絡めさせてなる三次元ランダムスパイラル構造体と、該三次元ランダムスパイラル構造体を包み込む包装体とからなることを特徴とする寝具。
【請求項２】
連続線状体が、芯部分をポリプロピレン樹脂で、鞘部分をポリエチレン樹脂で、それぞれ構成してなる連続線状体であることを特徴とする請求項１記載の寝具。
【請求項３】
寝具が、枕であることを特徴とする請求項１又は２記載の寝具。
【考案の詳細な説明】
【技術分野】
【０００１】
本考案は、寝具に関し、特に、充填材にモノフィラメント繊維からなる構造体を用いた寝具に関するものである。
【背景技術】
【０００２】
従来、充填材にモノフィラメント繊維からなる構造体を用いた寝具が汎用されている（例えば、特許文献１参照。）。
【０００３】
ところで、特許文献１記載の寝具は、充填材に、１００〜１０００００デシテックスのモノフィラメント繊維からなる連続線状体を曲がりくねらせランダムループを形成し、夫々のループを互いに溶融状態で接触せしめて、接触部の大部分を融着させてなる三次元ランダムループ接合構造体を用いて形成されている。
【先行技術文献】
【特許文献】
【０００４】
【特許文献１】特開２０１３−９０６５７号公報
【考案の概要】
【考案が解決しようとする課題】
【０００５】
このように、充填材にモノフィラメント繊維からなる構造体を用いた寝具は、弾力性及び保形性（復元性）を維持するために、モノフィラメント繊維同士が接触する部分を融着させてなるため、肌触りが硬く感じられるという問題があった。
【０００６】
本考案は、上記従来の充填材にモノフィラメント繊維からなる構造体を用いた寝具の有する問題点に鑑み、弾力性及び保形性（復元性）を維持しながら、肌触りが柔軟な、充填材にモノフィラメント繊維からなる構造体を用いた寝具を提供することを目的とする。
【課題を解決するための手段】
【０００７】
上記目的を達成するため、本考案の寝具は、芯部分を鞘部分よりも高融点の樹脂で構成したモノフィラメント繊維を捲縮させることにより１００〜３０００デニールのスパイラル状に形成した連続線状体を、非溶着状態で接触、絡めさせてなる三次元ランダムスパイラル構造体と、該三次元ランダムスパイラル構造体を包み込む包装体とからなることを特徴とする。
【０００８】
この場合において、連続線状体が、芯部分をポリプロピレン樹脂で、鞘部分をポリエチレン樹脂で、それぞれ構成してなる連続線状体とすることができる。
【０００９】
また、本考案の寝具は、枕を対象とすることができる。
【考案の効果】
【００１０】
本考案の寝具によれば、芯部分を鞘部分よりも高融点の樹脂で構成したモノフィラメント繊維を捲縮させることにより１００〜３０００デニールのスパイラル状に形成した連続線状体を、非溶着状態で接触、絡めさせてなる三次元ランダムスパイラル構造体と、該三次元ランダムスパイラル構造体を包み込む包装体とからなることにより、三次元ランダムスパイラル構造体の特性によって、弾力性及び保形性（復元性）を維持しながら、スパイラル状に形成した連続線状体が非溶着状態で接触、絡み合っているため、肌触りが柔軟な、充填材にモノフィラメント繊維からなる構造体を用いた寝具を提供することができる。
また、この寝具は、充填材がモノフィラメント繊維からなるスパイラル状に形成した連続線状体が非溶着状態で接触、絡み合ったものからなるため、通気性がよく、簡単に洗濯することができる。
【００１１】
また、連続線状体が、芯部分をポリプロピレン樹脂で、鞘部分をポリエチレン樹脂で、それぞれ構成してなる連続線状体とすることにより、軽量で、吸湿性がなく、かつ、耐薬品性及び耐熱性があって品質安定性及び衛生性が高い寝具を提供することができる。
【００１２】
また、本考案の寝具は、枕を対象とすることができ、肌触りが柔軟なため、抱き枕、足枕、腰枕等として利用することもできる。
【図面の簡単な説明】
【００１３】
【図１】本考案の寝具の一実施例を示す説明図である。
【図２】本考案の寝具の充填材に用いられる三次元ランダムスパイラル構造体を構成する、捲縮させることによりスパイラル状に形成されたモノフィラメント繊維を示す説明図である。
【考案を実施するための形態】
【００１４】
以下、本考案の寝具の実施の形態を、図面に基づいて説明する。
【００１５】
図１〜図２に、本考案の寝具を、枕に適用した一実施例を示す。
この枕１は、図２に示すように、芯部分を鞘部分よりも高融点の樹脂で構成したモノフィラメント繊維を捲縮させることにより１００〜３０００デニールのスパイラル状に形成した連続線状体１０を、非溶着状態で接触、絡めさせてなる三次元ランダムスパイラル構造体１１からなる充填材と、この三次元ランダムスパイラル構造体１１を包み込む包装体１２とからなる。
【００１６】
この場合において、連続線状体１０には、芯部分をポリプロピレン樹脂で、鞘部分をポリエチレン樹脂で、それぞれ構成したモノフィラメント繊維を使用し、このモノフィラメント繊維に高温、例えば、１００〜３００℃の熱風を接触させることにより捲縮（クリンプ）させることでスパイラル状（スパイラルの径：数ｍｍ〜数ｃｍ）に形成したもの（例えば、ＪＮＣ社製ＥＳ繊維（芯鞘比率：芯部分４５〜５５、鞘部分５５〜４５）。）を好適に用いることができる。
ここで、捲縮（クリンプ）状態の調整は、延伸倍率及び芯鞘比率を変化させることにより行うことができ、捲縮（クリンプ）を強める場合には、延伸倍率を大きく（原糸を基準より延伸することにより、熱をかけたときの縮みも大きくなる。）したり、芯部分の比率を小さく（基準より芯部分の比率を小さくすることにより、鞘部分の厚みが大きくなり、より偏芯状態となるため、縮みも大きくなる。）するようにし、逆に、捲縮（クリンプ）を弱める場合には、延伸倍率を小さくしたり、芯部分の比率を大きくするようにする。
これにより、軽量で、吸湿性がなく、かつ、耐薬品性及び耐熱性があって品質安定性及び衛生性（例えば、オートクレーブ（高圧蒸気滅菌器）を用いた滅菌処理を行うことができる。）が高い枕１を提供することができる。
【００１７】
ここで、連続線状体１０は、１００〜３０００デニールのものを用いることができるが、柔軟性を優先する場合には、低デニールのものを、弾力性を優先する場合には、高デニールのものを用いるようにする。
【００１８】
そして、本実施例の枕１の場合には、連続線状体１０には、２５０〜１０００デニール、好ましくは、３００〜６００デニールのものを用いるようにしている。
【００１９】
一方、包装体１２を構成する生地には、任意の編布や織布を用いることができるが、三次元ランダムスパイラル構造体１１からなる充填材の柔軟な肌触りを損なわない生地、具体的には、ツーウェイトリコット、スムースニット、サテン、スエード等の生地を好適に用いることができる。
【００２０】
また、三次元ランダムスパイラル構造体１１からなる充填材は、一体性があり、包装体１２を構成する生地の目を通過することがないため、包装体１２を構成する生地に比較的粗目のメッシュ状の生地を使用し、連続線状体１０に任意の色に着色したものを用いる（モノフィラメント繊維を構成する樹脂に着色した樹脂を用いる）ことができる。
これにより、枕１の意匠性を向上することができる。
【００２１】
ところで、本実施例は、本考案の寝具を、枕に適用した例を示したが、肌触りが柔軟なため、抱き枕、足枕、腰枕等に適用することもでき、また、掛け布団等の寝具一般に適用することもできる。
この場合、大型の寝具に適用する場合には、複数個に分割して構成した三次元ランダムスパイラル構造体１１からなる充填材を、中間包装体（図示省略）によって各々包み、これらをまとめて包装体１２によって包み込むようにしたり、キルティングを施すようにすることにより、充填材の偏りを防止し、保形性（復元性）を向上することができる。
【００２２】
この寝具（枕１）は、充填材を構成する三次元ランダムスパイラル構造体１１の特性によって、弾力性及び保形性（復元性）を維持しながら、スパイラル状に形成した連続線状体１０が非溶着状態で接触、絡み合っているため、肌触りが柔軟なものとなる。
また、充填材がモノフィラメント繊維からなるスパイラル状に形成した連続線状体１０が非溶着状態で接触、絡み合ったものからなるため、通気性がよく、簡単に洗濯することができる。
【００２３】
また、この寝具（枕１）は、軽量で、吸湿性がなく、かつ、耐薬品性及び耐熱性があって品質安定性及び衛生性（簡単に洗濯できることに加えて、例えば、オートクレーブ（高圧蒸気滅菌器）を用いた滅菌処理を行うことができる。）に優れているため、医療用の寝具（補助具を含む。）にも好適に用いることができる。
【００２４】
さらに、弾力性及び保形性（復元性）に優れているため、例えば、水枕の内部に三次元ランダムスパイラル構造体１１からなる充填材を適用することによって、形状安定性の高い水枕とすることができる。
【００２５】
以上、本考案の寝具について、その実施例に基づいて説明したが、本考案は上記実施例に記載した構成に限定されるものではなく、その趣旨を逸脱しない範囲において適宜その構成を変更することができるものである。
【産業上の利用可能性】
【００２６】
本考案の寝具は、弾力性及び保形性（復元性）を維持しながら、肌触りが柔軟な、充填材にモノフィラメント繊維からなる構造体を用いた寝具を提供することができることから、枕の用途に好適に用いることができるほか、例えば、掛け布団等の大型の寝具を含む寝具一般の用途にも用いることができる。
【符号の説明】
【００２７】
１  枕（寝具）
１０  連続線状体
１１  三次元ランダムスパイラル構造体（充填材）
１２  包装体
【図１】
0003201740.tif 000003
【図２】
0003201740.tif 000004